(57)【特許請求の範囲】
【請求項１】
下方及び上方のアップリケ用布片が一定の重ね代で重合したときの両アップリケ用布片の総合輪郭データを入力する工程と、
前記下方及び上方のアップリケ用布片の各重合縁データを入力する工程と、
前記総合輪郭データ及び各重合縁データから前記下方及び上方のアップリケ用布片の各輪郭データを作成する工程と、
前記輪郭データに基づいて前記下方及び上方のアップリケ用布片の各切断データを作成する工程と、
前記輪郭データに基づいて前記下方及び上方のアップリケ用布片の各刺繍データを作成する工程とを含み、
前記刺繍データを作成する工程においては、前記各輪郭データから、下方及び上方の布地に仮縫いステッチを形成するための各位置決め用仮縫いデータを作成し、
前記位置決め用仮縫いデータの開始点を前記各重合縁データとの交点に設定することを特徴とするアップリケの切断データ及び刺繍データの作成方法。
【請求項２】
下方及び上方のアップリケ用布片が一定の重ね代で重合したときの両アップリケ用布片の総合輪郭データを入力する工程と、
前記下方及び上方のアップリケ用布片の各重合縁データを入力する工程と、
前記総合輪郭データ及び各重合縁データから前記下方及び上方のアップリケ用布片の各輪郭データを作成する工程と、
前記輪郭データに基づいて前記下方及び上方のアップリケ用布片の各切断データを作成する工程と、
前記輪郭データに基づいて前記下方及び上方のアップリケ用布片の各刺繍データを作成する工程とを含み、
前記刺繍データを作成する工程においては、前記各輪郭データに沿った内周データ及び外周データを作成し、前記内周データ及び外周データから、前記下方及び上方のアップリケ用布片を各々下方及び上方の布地に縫い付けるためのサテンステッチデータを作成し、
前記上方のアップリケ用布片の重合縁を縫い付けるサテンステッチの糸と、該アップリケ用布片のその他の縁を縫い付けるサテンステッチの糸とを切替えるための糸替えデータを作成することを特徴とするアップリケの切断データ及び刺繍データの作成方法。
【発明の詳細な説明】
【０００１】
【産業上の利用分野】
本発明は、アップリケの切断データ及び刺繍データの作成方法に関するものである。
【０００２】
【従来の技術及び発明が解決しようとする課題】
図１５に示すように、前明きタイプのユニフォーム上着５０では、下前身頃５１と上前身頃５２とが一定の重ね代で重合及び離間する。これらの前身頃５１，５２にチーム名を表したアップリケを刺繍縫い付けするとき、アップリケの途中が下前身頃５１と上前身頃５２との重合部で分断される場合がある。このような場合には、下前身頃５１と上前身頃５２とが重合したときに、同様に一定の重ね代で重合して連続的な総合輪郭をなすように形成された、下方及び上方のアップリケ用布片５３，５４が使用される。
【０００３】
図１５及び図１６に示した両アップリケ用布片５３，５４は、重合したときに「Ａｎｇｅｌｓ」の連続文字（総合輪郭）を構成するものである。下方のアップリケ用布片５３は「ｇ」字内の右位置で終って、その終縁が重合縁５５となっており、上方のアップリケ用布片５４は「ｇ」字内の左位置で終って、その終縁が重合縁５６となっている。下方のアップリケ用布片５３は下前身頃５１に、上方のアップリケ用布片５４は上前身頃５２に各々配置され、自動制御式の刺繍ミシンによりサテンステッチ５７で刺繍縫い付けされる。
【０００４】
従来、上記のような下方及び上方のアップリケ用布片５３，５４の各切断データ及び刺繍データは、次の通り別個に作成されており、各々の輪郭データを何度も入力する必要があったため、非常に手間がかかっていた。
【０００５】
（１）下方のアップリケ用布片５３の切断データ及び刺繍データの作成
▲１▼  デジタイザに上方のアップリケ用布片の輪郭を描いた型紙を貼り付け、この輪郭の要点をポインティング・デバイスでピックアップすることにより、輪郭データを入力する。この輪郭データから、切断データ作成装置により、カット機にアップリケ用布片の切断を行わせるための切断データを作成する。
【０００６】
▲２▼  再び、下方のアップリケ用布片の輪郭データを入力する。この輪郭データから、刺繍データ作成装置により、刺繍ミシンに布地の仮縫い（歩き縫い）を行わせるための位置決め用仮縫いデータを作成する。
【０００７】
▲３▼  三たび、下方のアップリケ用布片の輪郭データを入力するとともに、輪郭データに沿った内周データ及び外周データを入力・作成する。この輪郭データ及び内周データから、刺繍データ作成装置により、刺繍ミシンにアップリケ用布片の止め縫いを行わせるための止め縫いデータを作成する。
【０００８】
▲４▼  前記内周データ及び外周データから、刺繍データ作成装置により、刺繍ミシンに前記サテンステッチ５７を形成させるためのサテンステッチデータを作成する。
【０００９】
（２）上方のアップリケ用布片５４の切断データ及び刺繍データの作成
上方のアップリケ用布片５４についても、下方のアップリケ用布片５３と同様に、上記▲１▼▲２▼▲３▼▲４▼の手順で切断データ及び刺繍データ（位置決め用仮縫いデータ、止め縫いデータ及びサテンステッチデータ）を作成する。
【００１０】
なお、アップリケの縁取りを明確にしたり強調したりするために、アップリケ用布片５３，５４の色彩とサテンステッチ５７の色彩とを変えたいことがある。例えば、アップリケ用布片５３，５４が青色のときに、サテンステッチ５７を赤色にすること等である。しかし、もしこの例において、上方のアップリケ用布片５４の重合縁５６を赤色のサテンステッチで縫い付けると、両アップリケ用布片５３，５４が重合したときに、この赤色のサテンステッチが、青色のアップリケ用布片５３，５４の「ｇ」字内を横切ることになるため、見栄えが悪くなる。
【００１１】
そこで、従来は、図１６に示すように、上方のアップリケ用布片５４の重合縁５６については、赤色のサテンステッチで縫い付けないようにし、上前身頃５２を自動制御式の刺繍ミシンから外した後、別の小型刺繍ミシンにセットし直して、重合縁５６だけを青色のサテンステッチ５８で縫い付けるようにしていた。このため、加工効率が低くなっていた。
【００１２】
本発明の目的は、上記課題を解決し、下方及び上方のアップリケ用布片が一定の重ね代で重合して連続的な総合輪郭をなすアップリケにおいて、一度の総合輪郭データ及び重合縁データの入力作業によって両アップリケ用布片の切断データ又は刺繍データを効率的に作成することができるようにすることと、さらにアップリケ用布片の色彩とサテンステッチの色彩とが異なる場合において加工効率を高めることにある。
【００１３】
【課題を解決するための手段】
上記目的を達成するために、本発明のアップリケの切断データ及び刺繍データの作成方法は、下方及び上方のアップリケ用布片が一定の重ね代で重合したときの両アップリケ用布片の総合輪郭データを入力する工程と、下方及び上方のアップリケ用布片の各重合縁データを入力する工程と、総合輪郭データ及び各重合縁データから下方及び上方のアップリケ用布片の各輪郭データを作成する工程と、輪郭データに基づいて下方及び上方のアップリケ用布片の各切断データを作成する工程と、輪郭データに基づいて下方及び上方のアップリケ用布片の各刺繍データを作成する工程とを含むように構成した。
【００１５】
前記刺繍データを作成する工程においては、各輪郭データから、下方及び上方の布地に仮縫いステッチを形成するための各位置決め用仮縫いデータを作成し、位置決め用仮縫いデータの開始点を各重合縁データとの交点に設定することが好ましい。
【００１６】
また、前記刺繍データを作成する工程においては、各輪郭データに沿った内周データ及び外周データを作成し、内周データ及び外周データから、下方及び上方のアップリケ用布片を各々下方及び上方の布地に縫い付けるためのサテンステッチデータを作成し、上方のアップリケ用布片の重合縁を縫い付けるサテンステッチの糸と、該アップリケ用布片のその他の縁を縫い付けるサテンステッチの糸とを切替えるための糸替えデータを作成することが好ましい。
【００１７】
なお、本発明でいう布地又は布片は、革、樹脂シート、複合シートのような均等物も含む広い意味である。また、上記方法において、輪郭データを入力する手段としては、デジタイザ（小型デジタイザの指称であるタブレットも含む。）、イメージ・スキャナ、タッチ・パネル、ライトペン、マウス、トラック・ボール等を例示できる。また、内周データ、外周データ及びサテンステッチデータを作成する手段としてはマイクロコンピュータを例示できる。
【００１８】
【作用】
本発明のアップリケの切断データ作成方法又は刺繍データ作成方法によれば、下方及び上方のアップリケ用布片が一定の重ね代で重合して連続的な総合輪郭をなすアップリケにおいて、一度の総合輪郭データ及び重合縁データの入力作業によって、両アップリケ用布片の切断データ又は刺繍データを効率的に作成することができる。
【００１９】
さらに、前記刺繍データを作成する工程において、各輪郭データから、下方及び上方の布地に仮縫いステッチを形成するための各位置決め用仮縫いデータを作成し、位置決め用仮縫いデータの開始点を各重合縁データとの交点に設定すれば、各布地の重合縁に仮縫いの開始点がくるので、この開始点を刺繍ミシンの針位置に合わせやすい。
【００２０】
また、前記刺繍データを作成する工程において、各輪郭データに沿った内周データ及び外周データを作成し、内周データ及び外周データから、下方及び上方のアップリケ用布片を各々下方及び上方の布地に縫い付けるためのサテンステッチデータを作成し、上方のアップリケ用布片の重合縁を縫い付けるサテンステッチの糸と、該アップリケ用布片のその他の縁を縫い付けるサテンステッチの糸とを切替えるための糸替えデータを作成すれば、この糸替えデータを自動制御式の刺繍ミシンに入力できる。このため、アップリケ用布片の色彩とサテンステッチの色彩とが相異するようなアップリケであっても、アップリケの総合輪郭の途中を横切ることになる上方のアップリケ用布片の重合縁については、サテンステッチの色彩をアップリケ用布片の色彩と略同一に切替えられるようになり、この重合縁とその他の部位とを同じ刺繍ミシンで縫い付けられるようになるので、加工効率を高めることができる。
【００２１】
【実施例】
以下、本発明を具体化した実施例について、図１〜図１４を参照して説明する。まず、この実施例に使用する切断データ及び刺繍データの作成装置等について、図１を参照して説明すると、この作成装置の中心は制御装置１であり、ＣＰＵ、ＲＯＭ、ＲＡＭ、接続用バス、入出力インターフェイス等からなるマイクロコンピュータが使用されている。この制御装置１には、入力装置としてデジタイザ２とキーボード３とが接続され、表示装置としてディスプレイ４が接続され、印刷装置としてＸ−Ｙプロッタ５が接続され、外部記憶装置としてフレキシブルディスク装置６とテープパンチャ７とが接続されている。
【００２２】
なお、前記データ作成装置の構成は一例に過ぎず、例えば外部記憶装置として、ハードディスク装置（リムーバブル式を含む。）、磁気テープ装置、磁気カード装置、光磁気ディスク装置、光ディスク装置、ＩＣカード装置等を使用することもできる。
【００２３】
１０はアップリケ用布片を切断するカット機で、生地をセットする盤面１１と、Ｘ−Ｙ方向に駆動されると共に必要に応じてＺ軸方向に往復駆動されるヒートカッタ１２と、操作キー１３と、入力装置としてのフレキシブルディスク装置１４とを備えている。このフレキシブルディスク装置１４には、前記フレキシブルディスク装置６で切断データの記録されたフレキシブルディスクＦＤ１が挿入される。
【００２４】
なお、ヒートカッタ以外にも、例えばカット刃、レーザ切断装置、液体ジェット切断装置等を使用することもできる。また、前記データ作成装置にフレキシブルディスク装置以外の前記外部記憶装置を使用する場合には、それに対応する外部記憶装置をカット機にも使用する。また、前記データ作成装置とカット機１０とを伝送ケーブル又は無線伝送装置で接続し、データ作成装置で作成された切断データをカット機１０に直接伝送することもできる。
【００２５】
２０はアップリケ用布片を布地に刺繍縫い付けする刺繍ミシンで、上糸が通された針を上下駆動する複数頭の刺繍ヘッド２１と、釜及び下糸ボビンが内蔵されたベッド２２と、下前身頃３６又は上前身頃３７を展張する刺繍枠２４と、該刺繍枠２４の駆動装置（図示略）等とを備え、キャスタ２６付きで移動可能な台車２７にはテーブル２８上に配置可能なミシン制御装置３０が支持されている。このミシン制御装置３０は、制御盤３１、キーボード３２、ディスプレイ３３、制御盤３１に内蔵された入力装置としてのフレキシブルディスク装置３４等を備えている。このフレキシブルディスク装置３４には、前記フレキシブルディスク装置６で刺繍データの記録されたフレキシブルディスクＦＤ２が挿入される。
【００２６】
なお、前記データ作成装置にフレキシブルディスク装置以外の前記外部記憶装置を使用する場合には、それに対応する外部記憶装置をミシン制御装置３０にも使用する。また、前記データ作成装置とミシン制御装置３０とを伝送ケーブル又は無線伝送装置で接続し、データ作成装置で作成された刺繍データをミシン制御装置３０に直接伝送することもできる。
【００２７】
この実施例では、図１４に示すように、重合したときに「Ａｎｇｅｌｓ」の連続文字（総合輪郭）を構成する下方及び上方のアップリケ用布片１６，１７を生地から切断するための切断データと、各アップリケ用布片１６，１７を、ユニフォーム上着３５の下前身頃３６及び上前身頃３７に各々刺繍縫い付けするための刺繍データとを作成する。前記従来例と同じく、下前身頃３６と上前身頃３７とは一定の重ね代で重合及び離間し、その重合時には、両アップリケ用布片１６，１７も同様に一定の重ね代で重合する。また、図１３に示すように、下方のアップリケ用布片１６は「ｇ」字内の右位置で終って、その終縁が重合縁１８となっており、上方のアップリケ用布片１７は「ｇ」字内の左位置で終って、その終縁が重合縁１９となっている。これらの切断データ及び刺繍データの作成方法は、図２に示すような手順で進行する。図２における矢印付き点線はデータの流れを示している。以下、この手順を詳述する。
【００２８】
（１）アップリケ用布片の輪郭データの作成
▲１▼  図３（ａ）に示すように、前記デジタイザ２のボード面に「Ａｎｇｅｌｓ」の総合輪郭を描いた型紙８を貼り付ける。この総合輪郭の複数の要点Ｒ（その一部のみを図示する。）をボタン・カーソル，スタイラス・ペン等のポインティング・デバイス４７でピックアップすることにより、総合輪郭データＤｔを入力する。図３（ｂ）に示すように、ディスプレイ４には、順にピックアップした点と点の間が線で結ばれて表示される。なお、最初にピックアップする要点Ｒｓはどこでもよい（同図では左端とした）。
【００２９】
▲２▼  続いて、下方のアップリケ用布片１６の重合縁を表わす重合縁データＤａ（「ｇ」字内の右位置）と、上方のアップリケ用布片１７の重合縁を表わす重合縁データＤｂ（「ｇ」字内の左位置）とを、前記ポインティング・デバイス４７でピックアップすることにより入力する。
【００３０】
▲３▼  制御装置１は、前記総合輪郭データＤｔを重合縁データＤａで切り取って、下方のアップリケ用布片１６の輪郭データＤ１ａを自動的に作成し、また、総合輪郭データＤｔを重合縁データＤｂで切り取って、上方のアップリケ用布片１７の輪郭データＤ１ｂを自動的に作成する。
【００３１】
（２）切断データの自動作成
制御装置１は、前記各輪郭データＤ１ａ，Ｄ１ｂから、図４に示すような、下方及び上方のアップリケ用布片１６，１７の各切断データＤ２ａ，Ｄ２ｂを自動的に作成する。各切断データＤ２ａ，Ｄ２ｂはフレキシブルディスク装置６によりフレキシブルディスクＦＤ１に記録される。
【００３２】
（３）刺繍データの自動作成
１）  次に、制御装置１は、前記各輪郭データＤ１ａ，Ｄ１ｂから、図５に示すような、各アップリケ用布片１６，１７の配置に必要な位置決め用仮縫いデータＤ３ａ，Ｄ３ｂを自動的に作成する。また、制御装置１は、各位置決め用仮縫いデータＤ３ａ，Ｄ３ｂの開始点Ｓａ，Ｓｂを、各重合縁データＤａ，Ｄｂとの交点（図５では上側の交点としたが、下側の交点でもよい。）に自動設定する。各位置決め用仮縫いデータＤ３ａ，Ｄ３ｂ（開始点Ｓａ，Ｓｂのデータを含む。以下同じ。）はフレキシブルディスク装置６によりフレキシブルディスクＦＤ２に記録される。
【００３３】
▲２▼  次に、制御装置１は、前記各輪郭データＤ１ａ，Ｄ１ｂから、図６に示すような、各輪郭データＤ１ａ，Ｄ１ｂの内側に沿った内周データＤ４ａ，Ｄ４ｂを自動作成する。
【００３４】
３）  次に、制御装置１は、前記各輪郭データＤ１ａ，Ｄ１ｂと内周データＤ４ａ，Ｄ４ｂとから、図７に示すような、各アップリケ用布片１６，１７の止め縫いに必要な止め縫いデータＤ５ａ，Ｄ５ｂを自動作成する。この実施例では、予めキーボート３から制御装置１に入力したＥステッチの縫い込み方向及び縫い込みから次の縫い込みまでの縫目数に基づいて、Ｅステッチデータが作成される。但し、止め縫いデータはＥステッチに限定されず、例えば図８に示すような別種類のステッチによる止め縫いデータＤ５ａ等を作成することも可能である。各止め縫いデータＤ５ａ，Ｄ５ｂはフレキシブルディスク装置６によりフレキシブルディスクＦＤ２に記録される。
【００３５】
▲４▼  次に、制御装置１は、前記各輪郭データＤ１ａ，Ｄ１ｂから、図９に示すような、各輪郭データＤ１ａ，Ｄ１ｂの外側に沿った外周データＤ６ａ，Ｄ６ｂを自動作成する。
【００３６】
５）  次に、制御装置１は、前記内周データＤ４ａ，Ｄ４ｂと外周データＤ６ａ，Ｄ６ｂとから、図１０の（ａ）（ｂ）に示すような、各アップリケ用布片１６，１７の刺繍縫い付けに必要なサテンステッチデータＤ７ａ，Ｄ７ｂを作成する。また、制御装置１は、上方のアップリケ用布片１７の重合縁１９を縫い付けるサテンステッチ４０ｘの糸と、該アップリケ用布片１７のその他の縁を縫い付けるサテンステッチ４０ｂの糸とを切替えるための糸替えデータ（図示略）を作成する。各サテンステッチデータＤ７ａ，Ｄ７ｂ（糸替えデータを含む。以下同じ。）はフレキシブルディスク装置６によりフレキシブルディスクＦＤ２に記録される。
【００３７】
以上により、切断データＤ２ａ，Ｄ２ｂが記録されたフレキシブルディスクＦＤ１と、位置決め用仮縫いデータＤ３ａ，Ｄ３ｂ、止め縫いデータＤ５ａ，Ｄ５ｂ及びサテンステッチデータＤ７ａ，Ｄ７ｂの三つの刺繍データが記録されたフレキシブルディスクＦＤ２とが作成される。このフレキシブルディスクＦＤ１，ＦＤ２のデータと前記装置とを使用し、次のようにしてアップリケが形成される。
【００３８】
（Ａ）アップリケ用布片の切断
図１に示すように、カット機１０の盤面１１にアップリケ用布片の生地１５をセットし、フレキシブルディスク装置１４にフレキシブルディスクＦＤ１を挿入して、カット機１０を作動させると、切断データＤ２ａ，Ｄ２ｂに基づいてヒートカッタ１２が生地１５に接触しＸ−Ｙ方向に駆動されるため、切断データＤ２ａ，Ｄ２ｂに基づいたアップリケ用布片１６，１７が熱溶断される。なお、図１では下方のアップリケ用布片１６のみを示す。
【００３９】
（Ｂ）アップリケ用布片の刺繍縫い付け
（１）  図１に示すように、刺繍ミシン２０の刺繍枠２４に下前身頃３６（又は上前身頃３７）を展張し、フレキシブルディスク装置３４にフレキシブルディスクＦＤ２を挿入して、刺繍ミシン２０を作動させると、まず、位置決め用仮縫いデータＤ３ａ（又はＤ３ｂ）に基づいて刺繍ヘッド２１の針、ベッド２２の釜、刺繍枠２４等が駆動されるため、図１１に示すように、下前身頃３６（又は上前身頃３７）に仮縫いステッチ４５ａ（又は４５ｂ）が形成される。
【００４０】
このとき、各位置決め用仮縫いデータＤ３ａ，Ｄ３ｂに含まれた開始点Ｓａ，Ｓｂのデータにより、各仮縫いステッチ４５ａ，４５ｂの開始点４５ａｓ，４５ｂｓが各々前身頃３６，３７の重合縁（ユニフォーム上着３５の場合は前立て３６ｆ，３７ｆがあるので、その縁）にくるので、この開始点４５ａｓ，４５ｂｓを刺繍ミシン２０の針位置に合わせやすい。もし、この開始点が重合縁から離れると、針位置に合わせにくくなる。
【００４１】
▲２▼  各仮縫いステッチ４５ａ，４５ｂに沿って、各前身頃３６，３７に各々アップリケ用布片１６，１７を粘着剤等で貼り付ける。
【００４２】
▲３▼  再び刺繍ミシン２０を作動させると、止め縫いデータＤ５ａ（又はＤ５ｂ）に基づいて刺繍ヘッド２１の針、ベッド２２の釜、刺繍枠２４等が駆動されるため、図１２に示すように、止め縫いステッチ４６ａ，４６ｂが形成され、これによりアップリケ用布片１６（又は１７）が下前身頃３６（又は上前身頃３７）に止め縫いされる。
【００４３】
▲４▼  続いて刺繍ミシン２０を作動させると、サテンステッチデータＤ７ａ（又はＤ７ｂ）に基づいて刺繍ヘッド２１の針、ベッド２２の釜、刺繍枠２４等が駆動されるため、図１３に示すように、サテンステッチ４０ａ（又は４０ｂ）が形成され、これによりアップリケ用布片１６（又は１７）が下前身頃３６（又は上前身頃３７）に刺繍縫い付けされる。
【００４４】
このとき、サテンステッチ４０ａ，４０ｂの糸は、その色彩とアップリケ用布片１６，１７の色彩とが相異するように選ばれる。例えば、アップリケ用布片１６，１７が青色のときに、サテンステッチ４０ａ，４０ｂには赤色の糸が使用される。しかし、重合時に「ｇ」字内を横切ることになる上方のアップリケ用布片１７の重合縁１９のサテンステッチ４０ｘについては、サテンステッチデータＤ７ｂに含まれた糸替えデータにより、アップリケ用布片１６，１７の色彩と略同一の青色の糸に切替えられるので、このサテンステッチ４０ｘがアップリケの見栄えを悪くすることはない。従って、この重合縁１９とその他の縁とを同じ刺繍ミシン２０で縫い付けることができ、加工効率を高めることができる。
【００４５】
なお、本発明は前記実施例の構成に限定されるものではなく、例えば次のように、本発明の趣旨から逸脱しない範囲で適宜変更して具体化できる。
（１）下方及び上方のアップリケ用布片の重ね代が大きい場合等において、下方のアップリケ用布片については総合輪郭の途中で切断しない態様もある。
（２）本発明は、ユニフォーム上着以外の衣服、蓋が重なる鞄等のように、下方及び上方の布地が一定の重ね代で重合及び離間する各種物品に具体化できる。
【００４６】
【発明の効果】
以上詳述した通り、請求項１又は２記載のアップリケの切断データ及び刺繍データの作成方法に係る発明によれば、下方及び上方のアップリケ用布片が一定の重ね代で重合して連続的な総合輪郭をなすアップリケにおいて、一度の総合輪郭データ及び各輪郭データの入力作業によって、両アップリケ用布片の切断データ及び刺繍データを効率的に作成することができる。
【００４７】
さらに、請求項１記載のアップリケの切断データ及び刺繍データの作成方法に係る発明によれば、下方及び上方の布地における仮縫いステッチの開始点を刺繍ミシンの針位置に対して合わせやすくなる。
【００４８】
また、請求項２記載のアップリケの切断データ及び刺繍データの作成方法に係る発明によれば、アップリケ用布片の色彩とサテンステッチの色彩とが異なるようなアップリケにおいて、上方のアップリケ用布片の重合縁のサテンステッチについては、作成した糸替えデータによってアップリケ用布片の色彩と略同一の色彩に切替えられるようになり、この重合縁とその他の部位とを同じ刺繍ミシンで縫い付けられるようになるので、加工効率を高めることができる。
【図面の簡単な説明】
【図１】本発明の実施例に使用する装置の全体構成図である。
【図２】本実施例の切断データ及び刺繍データの作成方法を示すフローチャート図である。
【図３】（ａ）は総合輪郭データ及び重合縁データの入力工程を示す説明図、（ｂ）はそのときのディスプレイ表示を示す正面図である。
【図４】作成された切断データを示す説明図である。
【図５】作成された位置決め用仮縫いデータの説明図である。
【図６】作成された内周データを示す説明図である。
【図７】作成された止め縫いデータを示す説明図である。
【図８】止め縫いデータの別例を示す説明図である。
【図９】作成された外周データの説明図である。
【図１０】（ａ）は作成されたサテンステッチデータの説明図、（ｂ）は同データの部分拡大図である。
【図１１】仮縫いステッチを形成した下前身頃及び上前身頃の部分正面図である。
【図１２】止め縫いステッチによりアップリケ用布片を止め縫いした下前身頃及び上前身頃の部分正面図である。
【図１３】サテンステッチによりアップリケ用布片を刺繍縫い付けした下前身頃及び上前身頃（アップリケ）の部分正面図である。
【図１４】同アップリケを備えたユニフォーム上着の正面図である。
【図１５】従来構造のアップリケを備えたユニフォーム上着の正面図である。
【図１６】同アップリケの部分正面図である。
【符号の説明】
１６  下方のアップリケ用布片
１７  上方のアップリケ用布片
１８  下方のアップリケ用布片の重合縁
１９  上方のアップリケ用布片の重合縁
３５  ユニフォーム上着
３６  下前身頃
３７  上前身頃
４０ａ  下方のアップリケ用布片のサテンステッチ
４０ｂ  上方のアップリケ用布片のサテンステッチ
４０ｘ  上方のアップリケ用布片の重合縁のサテンステッチ
Ｄｔ  総合輪郭データ
Ｄａ  下方のアップリケ用布片の重合縁データ
Ｄｂ  上方のアップリケ用布片の重合縁データ
Ｄ１ａ，Ｄ１ｂ  輪郭データ
Ｄ２ａ，Ｄ２ｂ  切断データ
Ｄ３ａ，Ｄ３ｂ  位置決め用仮縫いデータ
Ｄ４ａ，Ｄ４ｂ  内周データ
Ｄ５ａ，Ｄ５ｂ  止め縫いデータ
Ｄ６ａ，Ｄ６ｂ  外周データ
Ｄ７ａ，Ｄ７ｂ  サテンステッチデータ
Ｓａ，Ｓｂ  位置決め用仮縫いデータの開始点
【図１】
0003810095.tif 000002
【図２】
0003810095.tif 000003
【図３】
0003810095.tif 000004
【図４】
0003810095.tif 000005
【図５】
0003810095.tif 000006
【図６】
0003810095.tif 000007
【図７】
0003810095.tif 000008
【図８】
0003810095.tif 000009
【図９】
0003810095.tif 000010
【図１０】
0003810095.tif 000011
【図１１】
0003810095.tif 000012
【図１２】
0003810095.tif 000013
【図１３】
0003810095.tif 000014
【図１４】
0003810095.tif 000015
【図１５】
0003810095.tif 000016
【図１６】
0003810095.tif 000017